(57)【特許請求の範囲】
【請求項１】
交流電圧を直流電圧に変換するアダプターケーブルに、あらかじめ用意した複数のアイテムが接続されたイルミネーションの設計を支援するイルミネーション設計支援システムであって、
設計支援用のウェブサイトが開設され、かつ容量を含む前記アイテムに関する情報が格納されたデータベースが接続されたウェブサーバと、
設計者が前記ウェブサイトにアクセスするために使用するユーザ端末と、
前記ウェブサーバおよびユーザ端末を相互通信可能な状態で接続するネットワークと、を備え、
前記ウェブサーバには、イルミネーションを構成する各ラインに接続されたアイテムの合計容量とイルミネーションの全アイテムの合計容量を算出するためのソフトウェアがインストールされており、
前記ウェブサーバは、前記各ラインに接続されたアイテムの合計容量とイルミネーションの全アイテムの合計容量を算出すると共に、それぞれの算出値が許容値未満であるか否かを判定し、当該判定結果を前記ユーザ端末に送信することを特徴とするイルミネーション設計支援システム。
【請求項２】
前記データベースには、少なくとも前記各アイテムの容量、消費電力、光源の数および購入金額に関する情報が格納されている、請求項１に記載のイルミネーション設計支援システム。
【請求項３】
前記ユーザ端末の要求に応じて前記ウェブサーバから送信された設計データ入力ページは、アイテムを表す商品カードを選択するための選択画面と、選択された商品カードを相互に接続してイルミネーションを設計する設計画面とで構成され、
前記選択画面で選択された商品カードはドラッグアンドドロップ操作によって設計画面に移動され、かつ接続対象の相手側アイテムの商品カードに接近することにより、相互のアイテムが接続される、請求項１または２に記載のイルミネーション設計支援システム。
【請求項４】
前記ウェブサーバは、前記ユーザ端末からの要求に基づき、前記データベースからイルミネーションを構成するアイテムに関するデータを読み出して見積書を作成し、当該見積書のデータを前記ユーザ端末に送信する、請求項２または３に記載のイルミネーション設計支援システム。
【請求項５】
前記設計データ入力ページに表示されるアイテムの商品カードには、当該アイテムの詳細な情報を表示するウェブサイトにリンクしたボタンが含まれる、請求項４に記載のイルミネーション設計支援システム。
【請求項６】
交流電圧を直流電圧に変換するアダプターケーブルに、あらかじめ用意した複数のアイテムが接続されたイルミネーションの設計を支援するイルミネーション設計支援システムに使用されるウェブサーバであって、
容量を含む前記アイテムに関する情報が格納されたデータベースが接続され、かつ設計者がアクセスするために使用するユーザ端末と相互通信可能なネットワークを介して接続され、
イルミネーションを構成する各ラインに接続されたアイテムの合計容量とイルミネーションの全アイテムの合計容量を算出するためのソフトウェアがインストールされており、
前記ユーザ端末から送信された前記アイテムに関するデータに基づいて、前記各ラインに接続されたアイテムの合計容量とイルミネーションの全アイテムの合計容量を算出すると共に、それぞれの算出値が許容値未満であるか否かを判定し、当該判定結果を前記ユーザ端末に送信することを特徴とするウェブサーバ。
【請求項７】
前記データベースには、少なくとも前記各アイテムの容量、消費電力、光源の数および購入金額に関する情報が格納されている、請求項６に記載のウェブサーバ。
【発明の詳細な説明】
【技術分野】
【０００１】
本発明は、イルミネーションの設計に用いられる設計支援システムおよびウェブサーバに関する。
【背景技術】
【０００２】
イルミネーションは、建物や樹木を、たくさんの電球やネオンをともして飾ったものであり、近年、高出力のＬＥＤ（発光ダイオード）が安価に提供されるようになったことから、イベント等において広く利用されるようになってきている。
【０００３】
上述したイルミネーションには、個人の家屋やマンションのベランダなどで用いられるハウスイルミネーションと、クリスマス販促等の一環として行われる商空間における商業イルミネーションがある。このうち商業イルミネーションは、大掛かりな電気工事や工作物がデザインに組み込まれるため、電気や建築等の多岐に渡る知識や経験が必要とされる。
【０００４】
このような多岐に渡る知識や経験が必要なイルミネーションを比較的簡単に設計するシステムとして、ＭＫイルミネーション社よりクイックフィックスシステム（QuickFix SYSTEM、「QuickFix」は登録商標、以降「ＱＦシステム」という）が提案され、実用化されている（非特許文献１参照）。
【０００５】
ＱＦシステムにおいては、線形、球形、星型等の様々な形状や大きさのアイテムを予め用意すると共に、アイテム毎に使用電力や発熱量等を考慮した容量（単位：ＱＦＣ（QuickFix Capacity））を設定している。そしてＱＦシステムにおいては、電力供給用のケーブルに接続されるアイテムの容量の合計が予め定めた限値を超えない限り、アイテムをケーブルに接続することができる。
【先行技術文献】
【非特許文献】
【０００６】
【非特許文献１】株式会社タカショーデジテック  カタログ（コードＮｏ．ＰＲ-１８１、２０１４年７月発行）
【発明の概要】
【発明が解決しようとする課題】
【０００７】
上述したＱＦシステムにおいては、ケーブルに、アイテムの容量の合計値（以降、「合計容量」という）が許容値を超えない範囲で、アイテムを相互に接続だけでイルミネーションを設計できるため、電気に関する十分な知識を有するものでなくてもイルミネーションの設計を行うことができる。結果として、設計作業の負担を軽減し、また設計に要する期間を大幅に短縮できる。
【０００８】
しかし、イルミネーションの規模が大型化するにつれて、合計容量の算出にかかる手間と時間が増えるため、更なる改善が要望されていた。
【０００９】
本発明は、このような従来の問題点に鑑みて成されたもので、イルミネーションの設計に要する時間と労力を大幅に軽減できる設計支援システムを提供することを目的とする。
【課題を解決するための手段】
【００１０】
上記目的を達成するため、本発明にかかるイルミネーション設計支援システムは、  交流電圧を直流電圧に変換するアダプターケーブルに、あらかじめ用意した複数のアイテムが接続されたイルミネーションの設計を支援するイルミネーション設計支援システムであって、
設計支援用のウェブサイトが開設され、かつ容量を含む前記アイテムに関する情報が格納されたデータベースが接続されたウェブサーバと、
設計者が前記ウェブサイトにアクセスするために使用するユーザ端末と、
前記ウェブサーバおよびユーザ端末を相互通信可能な状態で接続するネットワークと、を備え、
前記ウェブサーバには、イルミネーションを構成する各ラインに接続されたアイテムの合計容量とイルミネーションの全アイテムの合計容量を算出するためのソフトウェアがインストールされており、
前記ウェブサーバは、前記各ラインに接続されたアイテムの合計容量とイルミネーションの全アイテムの合計容量を算出すると共に、それぞれの算出値が許容値未満であるか否かを判定し、当該判定結果を前記ユーザ端末に送信することを特徴とする。
【００１１】
ここで、前記データベースには、少なくとも前記各アイテムの容量、消費電力、光源の数および購入金額に関する情報が格納されていることが好ましい。
【００１２】
また前記ユーザ端末の要求に応じて前記ウェブサーバから送信された設計データ入力ページは、アイテムを表す商品カードを選択するための選択画面と、選択された商品カードを相互に接続してイルミネーションを設計する設計画面とで構成され、
前記選択画面で選択された商品カードはドラッグアンドドロップ操作によって設計画面に移動され、かつ接続対象の相手側アイテムの商品カードに接近することにより、相互のアイテムが接続されることが好ましい。
【００１３】
また前記ウェブサーバは、前記ユーザ端末からの要求に基づき、前記データベースからイルミネーションを構成するアイテムに関するデータを読み出して見積書を作成し、当該見積書のデータを前記ユーザ端末に送信することが好ましい。
【００１４】
また前記設計データ入力ページに表示されるアイテムの商品カードには、当該アイテムの詳細な情報を表示するウェブサイトにリンクしたボタンが含まれることが好ましい。
【発明の効果】
【００１５】
本発明にかかるイルミネーション設計支援システムを利用すれば、わずらわしい計算を必要とせず、電気に関する十分な知識を有しないものであっても、イルミネーションの設計を、簡単かつ短時間で行うことができる。
【図面の簡単な説明】
【００１６】
【図１】ＱＦシステムに基づいて設計されたイルミネーションの構成例を示す図である。
【図２】図１のイルミネーションのライン毎のアイテムの合計容量および全てのアイテムの合計容量を示した図である。
【図３】本発明の実施の形態にかかるイルミネーション設計支援システムの基本的な構成を示すブロック図である。
【図４】同イルミネーション設計支援システムを用いてイルミネーションの設計を行う際の手順を示すフローチャートである。
【図５】設計データ入力ページの画面を示す図（その１）である。
【図６】設計データ入力ページの画面を示す図（その２）である。
【図７】設計データ入力ページの画面を示す図（その３）である。
【図８】設計データ入力ページの画面を示す図（その４）である。
【図９】設計データ入力ページの画面を示す図（その５）である。
【図１０】設計データ入力ページの画面を示す図（その６）である。
【図１１】設計データ入力ページの画面を示す図（その７）である。
【図１２】設計データ入力ページの画面を示す図（その８）である。
【図１３】本発明の実施の形態にかかるイルミネーション設計支援システムにより作成された見積書を示す図である。
【発明を実施するための形態】
【００１７】
以下、本発明の実施の形態にかかるイルミネーション設計支援システムについて、図面を参照しながら説明する。
【００１８】
＜ＱＦシステムにおける設計の基本的な考え方＞
ＱＦシステムの設計においては、予め用意された、形状や大きさの異なる各種アイテムをコネクターで接続することによってイルミネーションを実現している。
【００１９】
また前述したように、ＱＦシステムにおいては、１本のラインに接続できるアイテムの合計容量および全てのアイテムの合計容量には上限が設けられており、いずれかの合計容量が許容値を超えると、光源の正常な点灯が阻害される。以下、図面を用いてＱＦシステムにおける設計の基本的な考え方を説明する。
【００２０】
図１に、ＱＦシステムによって設計したイルミネーションの例を示す。左端に、商用電源に接続されるアダプターケーブル１１が配置されている。アダプターケーブル１１は、商用電源から供給された交流１００Ｖの電流を、イルミネーションの各アイテムを駆動する直流１００Ｖの電流に変換するものである。
【００２１】
アダプターケーブル１１の右端に３分岐コネクター１２が接続されている。３分岐コネクター１２は、アダプターケーブル１１から供給された直流電流を３つに分岐させるものである。
【００２２】
３分岐コネクター１２で分岐された上段のラインには、３つのストリングライト１３が直列に接続されている。ストリングライト１３は、１本のケーブルに等間隔に複数のＬＥＤが接続されたアイテムである。
【００２３】
一方、中段のラインには、延長ケーブル１４を介してクリスタルタワー１５が接続されている。クリスタルタワー１５は、複数のＬＥＤをクリスマスツリー状に配列したものである。
【００２４】
更に下段のラインには、２つのバントール１６、１つのアイスドロップ１７およびメリディア１８が、３つの２分岐アダプター１９を介して直列に接続されている。バントール１６およびアイスドロップ１７の各アイテムは、複数のＬＥＤをそれぞれ星型およびツララ状に配列したものである。またメリディア１８は３Ｄ（３次元）モチーフの一種であり、複数のＬＥＤを球形に配列したものである。
【００２５】
図１において、各アイテムの近傍の四角形の枠内に記載された数字は、それぞれのアイテムの容量である。前述したように、ＱＦシステムにおいては、ライン毎に接続できるアイテムの合計容量、および全てのアイテムの合計容量に上限が設けられている。
【００２６】
図２に、３分岐コネクター１２で分岐された各ラインに接続されたアイテムの合計容量を示す。説明の都合上、仮に、１本のラインに接続されるアイテムの合計容量の許容値は３０ＱＦＣ、全てのアイテムの合計容量の許容値は７０ＱＦＣとする。
【００２７】
図２に示したように、中段と下段のラインに接続されたアイテムの合計容量、および全てのアイテムの合計容量は許容値を超えていないが、上段のラインに接続されたアイテムの容量は許容値を超えている。このような場合、上段のラインの右端に接続されたストリングライト１３を取り外すことにより、要件が満たされたイルミネーションを実現できる。
【００２８】
このようにＱＦシステムにおいては、設計の都度、上述の２つの要件を満たすかどうか計算を行う必要がある。図１に示したイルミネーションは、１６のアイテムで構成された規模の極めて小さなものであるため、計算に左程時間がかからない。しかし、実際の設計では数十のラインに数百のアイテムが接続されたものがあるため、計算に多大の時間を要し、設計者にとって負担が大きい。
【００２９】
本発明にかかる設計支援システムを用いれば、大規模なイルミネーションであっても、比較的短時間に設計を終えることができ、設計者の負担も少ない。
【００３０】
＜イルミネーション設計支援システムの構成＞
次に、図３のブロック図を参照して、本実施の形態にかかるイルミネーション設計支援システム（以降、単に「設計支援システム」という）の構成と各部の機能を説明する。
【００３１】
ＱＦシステムに基づくイルミネーションの設計においては、作製済のアイテムを購入してそれらを接続する方法が採用されており、アイテムを製造・販売するアイテム提供事業者は、形状や大きさの異なる多数のアイテムを作製し、ユーザの要望に応じて提供している。
【００３２】
図３に、本実施の形態にかかるイルミネーション設計支援システムの構成を示す。設計支援システム１は、イルミネーション用アイテムの製造や販売を行う事業者２が所有もしくは管理するウェブサーバ２１およびオペレータ端末２２、イルミネーションの設計に携わる事業者や個人（以降「設計者」という）が使用する複数のユーザ端末３、ならびにこれらの機器を相互通信可能な状態で接続するインターネット４で構成されている。以下、システムを構成する各部材について説明する。
【００３３】
ウェブサーバ２１にはウェブサーバソフトがインストールされ、ＱＦシステムの設計支援を行うウェブサイト２１ａと、アイテムや付属品のカタログデータを掲載したウェブサイト２１ｂが開設されている。ＱＦシステムの設計に際し、設計者は、ユーザ端末３を用いてウェブサイト２１ａおよび２１ｂにアクセスする。
【００３４】
図示しないが、ウェブサーバ２１は、ＣＰＵで構成された処理手段と、ＲＯＭ、ＲＡＭ、ハードディスク等で構成された記憶手段を備えている。処理手段は、記憶手段に格納された設計支援用のソフトウェアを実行して、ライン毎および全使用アイテムの容量を算出する。また記憶手段には、ウェブサイト２１ａの画面を構成するコンテンツデータが格納されている。
【００３５】
ウェブサーバ２１には、アイテム提供事業者２が提供するアイテムや周辺部材のカタログデータを格納したデータベース（以降、「ＤＢ」という）２３が接続されている。またウェブサーバ２２には、ＤＢ２３の書き込みおよび読み出しを制御するデータベースマネジメントシステムソフトが予めインストールされている。
【００３６】
ＤＢ２３には、アイテムに関する２種類のデータが格納されている。第１のデータは、イルミネーションの設計に用いるデータで、アイテムの商品カードの画像、各アイテムの容量、消費電力、光源であるＬＥＤの球数、購入金額等のデータである。
【００３７】
第２のデータは、各アイテムの詳細なデータであり、カタログ用のウェブサイトで用いられる。設計者がアイテムの詳細なデータを確認したい場合、ユーザ端末３を用いてウェブサイト２１ｂにアクセスして、ＤＢ２３に格納されたデータを読み出す。
【００３８】
設計者は、ユーザ端末３を用いてウェブサイト２１ａにアクセスし、後述する設計データ入力ページ（図５参照）を開いて必要なデータを入力する。ウェブサーバ２１の処理手段（図示せず）は、設計支援用のソフトウェアを用いてライン毎のアイテムおよび全使用アイテムの合計容量を算出すると共に、算出値が、記憶手段（図示せず）に格納されたライン毎の使用アイテムの許容値および全使用アイテムの許容値未満であるか否かを判定し、算出した合計容量と判定結果をユーザ端末に送信する。送信されたデータは設計データ入力ページに表示される。
【００３９】
また、後述するように、ウェブサーバ２１の処理手段（図示せず）は、イルミネーションを構成する全アイテムの使用電力、ＬＥＤの球数、時間当りの電気代および購入金額を算出すると共に、算出した値を画面に表示する。
【００４０】
なお、本実施の形態では、ウェブサーバ２１として、事業者２が所有または管理するサーバを用いているが、必ずしも事業者が所有・管理するサーバでなくてもよく、クラウドサーバのようなレンタルサーバを使用してもよい。
【００４１】
事業者２がウェブサイト２１ａ、２１ｂの管理のために使用するオペレータ端末２２はパーソナルコンピュータ（以降「ＰＣ」という）で構成されており、ウェブページ２１ａ、２１ｂを閲覧するためのウェブブラウザソフトがインストールされている。
【００４２】
イルミネーションの設計を行う設計者が使用するユーザ端末３は、オペレータ端末２２と同様にＰＣで構成され、予めウェブブラウザソフトがインストールされている。なお、図では３台のユーザ端末３がインターネット４に接続されているが、台数に制限はない。
【００４３】
＜ＱＦシステムにおける設計手順＞
次に、図４のフローチャートならびに図５〜図１２の画面レイアウト図を参照して、イルミネーションの設計者が、ユーザ端末３からウェブサイト２１ａにアクセスし、ＱＦシステムに基づいて設計を行う際の手順を説明する。
【００４４】
最初に、設計者は、ユーザ端末３およびインターネット４を介して、事業者２が開設しているウェブサイト２１ａにアクセスする（ステップＳ１１）。ウェブサーバ２１は、これに応答して設計データ入力ページのデータをユーザ端末３に送信する（ステップＳ２１）。
【００４５】
図５に、ウェブサイト２１ａにおける設計データ入力ページの画面レイアウトを示す。ページの左画面Ｐ１はイルミネーションの設計に用いられ、アイテムの接続状態が表示される。一方、右画面Ｐ２は、設計者がアイテムを選択する際に用いられる。右画面Ｐ２は複数の枠Ｆ１１〜Ｆ１５に分割され、アイテムの商品カード等が表示される。また左画面Ｐ１の下部には、全アイテムの合計容量等を表示する枠Ｆ２１〜Ｆ２７が配置されている。
【００４６】
設計者は、マウス等を用いて設計データ入力ページを開き、右画面Ｐ２を用いてアイテムを選択し、選択したアイテムをドラッグアンドドロップ操作により左画面Ｐ１に移動させると共に、他のアイテムと接続する。この動作を繰り返すことによってイルミネーションの設計を進める。右画面Ｐ２において選択され、左画面Ｐ１に配置されたアイテムのデータは、その都度、ウェブサーバ２１に送信される（ステップＳ１２）。
【００４７】
右画面Ｐ２に配置された枠Ｆ１１〜Ｆ１５のうちＦ１１には、機能切替えタブが表示される。枠Ｆ１１の左側のタブは、このページが設計データ入力ページであることを示している。マウス等を用いて、タブＦ１１の右側のタブをクリックすると、見積書等を表示する画面に切り替わる。
【００４８】
右画面Ｐ２の２段目の枠Ｆ１２には、アダプターケーブル１１のアイコンが表示されている。右画面Ｐ２の３段目の枠Ｆ１３は９個のタイルに分割され、それぞれのタイルにアイテムの種類を表した画像が表示されている。設計者が、マウス等を用いていずれかのアイテムを選択すると、図６に示すウィンドウＷ１が開き、設計者が更にその中から１つのアイテムを選択すると、選択されたアイテムの商品カードが枠Ｆ１５に表示される。
【００４９】
タイル枠Ｆ１３の下方の枠Ｆ１４は、アイテムの品番を入力するために用いられ、設計者がキーボード等を用いてアイテムの品番を入力すると、そのアイテムの商品カードが枠Ｆ１５に表示される。
【００５０】
＜イルミネーションの設計手順＞
以下、図５〜図１２を用いてイルミネーションの設計手順について説明する。
【００５１】
図５に示すように、イルミネーション設計用の左画面Ｐ１の左上には、アダプターケーブル１１の商品カードＣ１が表示される。前述したように、アダプターケーブル１１は、商用電源から供給された交流電流を直流電流に変換するもので、各アイテムに直流電流を供給する不可欠の構成部材であるため、左画面Ｐ１に当所から表示されている。
【００５２】
なお、アダプターケーブルとしてより容量の大きなケーブルを用いたい場合、マウス等を用いて右画面Ｐ２の２段目の枠Ｆ１２に表示されたアダプターケーブルの画像をクリックすると、図示しない変更ボタンが表示され、更にそのボタンをクリックすると、左画面Ｐ１の商品カードＣ１が、容量の異なるアダプターケーブルの商品カードに置き換わる。
【００５３】
次に、設計者は、アダプターケーブル１１に接続するアイテムを選択する。上述したように、マウス等を用いてタイル枠Ｆ１３から希望するアイテムの画像を選択する。例えばアイテムとして下段中央に表示された３Ｄモチーフを選択した場合、図６に示すようにウィンドウＷ１が開いて、形状や大きさの異なる多くの３Ｄモチーフの画像が表示される。
【００５４】
設計者が、ウィンドウＷ１に表示されたアイテムの画像から希望する画像（ここではメリディア）を選択すると、図示しない処理手段は、ＤＢ２３からそのアイテムの商品カード、容量、消費電力、球の数および購入金額のデータを読み出す。
【００５５】
図５に示すように、これらのデータのうちアイテムの商品カードＣ２のデータが枠Ｆ１５に表示される。商品カードＣ２の中央にはアイテムのイメージ画像Ｃ２１が表示され、カードの上部左側には、そのアイテムの容量が表示され、上部右側には、商品のカタログページにジャンプするためのボタンＢ１が表示される。
【００５６】
ボタンＢ１は、アイテムのカタログデータを掲載したウェブサイト２１ｂのページとリンクしており、設計者がマウス等を用いてボタンＢ１をクリックすると、そのアイテムの詳細データを表示したページが画面に表示される。設計者は、そのページを開くことにより、アイテムの詳細データを確認できるため、設計作業を効率的に進めることができる。
【００５７】
設計者が選択したアイテムをイルミネーションに使用したい場合、図７に破線の矢印で示したように、枠Ｆ１５に表示された当該アイテムの商品カードＣ２を、ドラッグアンドドロップ操作により、左画面Ｐ１のアダプターケーブルの商品カードＣ１の右側に移動させると、配線ｗによって商品カードＣ１とＣ２が接続される。
【００５８】
そして、左画面Ｐ１の下に配置された枠Ｆ２１に、商品カードＣ１、Ｃ２に表示されたアダプターケーブルとメリディアを接続したときの合計容量が表示されると共に、商品カードＣ２の右側に、各ラインに接続可能なアイテムの合計容量の許容値までの残容量（図では９０ＱＦＳ）が表示される。更に、参考として、アダプターケーブルとメリディアを接続したときの配線ｗの大体の長さ（図では０ｍ）が表示される。
【００５９】
また左画面Ｐ１の下の枠Ｆ２２、Ｆ２３、Ｆ２４およびＦ２５には、それぞれ、左画面Ｐ１に表示された全てのアイテムの消費電力の合計値、アイテムを構成するＬＥＤ（球）の総数、アイテムの消費電力に対応した時間当たりの電気代および全てのアイテムの購入金額の合計値が表示される。なお、枠Ｆ２５の右側のボタンＢ１は、左画面Ｐ１に表示された画像を拡大させたり、縮小させたりするためのボタンである。
【００６０】
設計者は、それぞれの枠に表示された数値を見ながら、イルミネーションの設計を進める。例えば、時間当たりの電気代やアイテムの合計金額が予定の金額を超えるような場合には、アイテムの数を減らしたり、規模の小さいアイテムに変えることによって、電気代や購入金額が予定の金額に収まるようにする。
【００６１】
次に、図８を参照して、分岐コネクター１２（図１参照）を用いてラインを分岐させるときの手順を説明する。前述の図５および図６で説明した手順と同様の手順により設計者が３分岐コネクターを選択すると、枠Ｆ１５に３分岐コネクターの商品カードＣ３が表示される。そして前述と同様の操作により商品カードＣ３を左画面Ｐ１の商品カードＣ２の右側に配置すると、商品カードＣ２とＣ３が配線ｗにより接続され、更に、商品カードＣ３の右側に分岐用の３本の配線ｗが表示される。
【００６２】
その後、アイテムの選択操作を繰り返すことにより、図９に示すように、３本のラインに複数のアイテムが接続されたイルミネーションを設計する。それぞれのラインの右端の商品カードの右側には、合計容量の許容値まで残りの容量とケーブルの大体の長さが表示されるため、設計者は、各ラインの合計容量が許容値を超えないように、またラインが余り長くならないように留意しながら設計を進めことができる。
【００６３】
例えば、図１０に示すように、２段目のラインに接続されたアイテムの合計容量が、許容値である１０５ＱＦＣを超えた場合、ラインの接続されたアイテムの商品カードの色を、他のラインの商品カードの色と変える（例えば赤色）ことによって、容量が許容値を超えたことを設計者に注意喚起し、更にウィンドウＷ２を開いて注意書きを表示する。
【００６４】
左画面Ｐ１に、図１０に示すような表示がされた場合、設計者は、中段のラインに接続されているアイテムの数を減らすか、小規模のアイテムに変更することによって、ラインに含まれるアイテムの合計容量が許容値未満になるように設計を変更する。
【００６５】
更に、図１１に示すように、イルミネーションを構成する全てのアイテムの合計容量が許容値を超えた場合には、全ての商品カードの色が変わると共に、ウィンドウＷ３に注意書きが表示される。設計者は、アダプターケーブル１１を、より大きな容量のものに変えるか、アイテムの数を減らしたり、規模の小さなアイテムに変えることによって、合計容量が許容値内に収まるように設計を変更する。
【００６６】
図４の説明に戻って、設計者は、左画面Ｐ１に表示されたイルミネーションのプランにアイテムを追加する都度、各ラインに接続されたアイテムの合計容量が許容値を超えていなか、また全てのアイテムの合計容量が許容値を超えていないか確認する（ステップＳ１３）。
【００６７】
図１０または図１１に示すように、１ラインに接続されたアイテムの商品カードまたは全ての商品カードの色が変わった場合（ステップＳ１４でＹｅｓ）、設計者は、ステップＳ１２に戻り、上述した手順で設計をやり直す。
【００６８】
図１２に、このようにして設計されたイルミネーションの例を示す。各ラインに接続されたアイテムの合計容量および全てのアイテムの合計容量は、それぞれ許容値以内に収められており、ＬＥＤ（光源）の正常な発光を確保できる。
【００６９】
設計者は、設計変更を含めた設計の一連の作業を終了した後（ステップＳ１４でＮｏ）、イルミネーションの設計図および見積書を印刷する（ステップＳ１５）。図１２の左画面Ｐ１に表示された画像を印刷すれば、イルミネーションの設計図、すなわちイルミネーションを構成するアイテムとそれらの接続状態を確認できる。
【００７０】
更に、設計者がマウス等を用いて切替えタブＦ１１の右側のタブをクリックすると、図１２に示すように、枠Ｆ１６が表示される。枠Ｆ１６には、「見積書制作」用、「プラン保存」用、「プラン読込」用のボタンＢ２、Ｂ３、Ｂ４等が表示される。このうち設計者が「見積書制作」のボタンＢ２をクリックすると、図１３に示したような見積書Ｓが画面に表示される。
【００７１】
見積書Ｓには、図１２に示したイルミネーションを構成する全てのアイテムの品番、品名、数量、単価および合計金額が表示される。設計者が画面に表示された見積書Ｓを印刷し、アイテムの販売事業者に発注を行えば、イルミネーションの作製に必要な全ての部材を揃えることができる。
【００７２】
以上説明したように、本発明にかかるイルミネーション設計支援システムを用いれば、わずらわしい計算を必要とせず、また規模の大小に関係なく、イルミネーションの設計を、簡単かつ短時間で行うことができる。
【００７３】
なお、本実施の形態においては、ＱＦシステムを前提とした設計支援システムについて説明したが、本発明にかかる設計支援システムは、ＱＦシステムでなくても、同様の考え方に基づいたイルミネーションの設計に対して適用が可能である。
【００７４】
また本実施の形態では、アダプターケーブル１１において、１００Ｖの交流電流を１００Ｖの直流電流に変換した後、各アイテムに供給しているが、必ずしも１００Ｖの直流電流に変換する必要はなく、ＬＥＤを駆動するのに十分な電圧であれば、それより低い電圧であっても良い。
【符号の説明】
【００７５】
１  イルミネーション設計支援システム
２  アイテム提供事業者
３  ユーザ端末
４  インターネット
１１〜１９  各種アイテム
２１  ウェブサーバ
２１ａ、２１ｂ  ウェブサイト
２２  オペレータ端末
２３  ＤＢ
Ｂ１〜Ｂ５  ボタン
Ｃ１〜Ｃ３  商品カード
Ｆ１１〜Ｆ１５、Ｆ２１〜Ｆ２５  枠
Ｐ１、Ｐ２  設計データ入力ページの画面
Ｓ  見積書
Ｗ１〜Ｗ３  ウィンドウ
【図１】
0006516614.tif 000002
【図２】
0006516614.tif 000003
【図３】
0006516614.tif 000004
【図４】
0006516614.tif 000005
【図５】
0006516614.tif 000006
【図６】
0006516614.tif 000007
【図７】
0006516614.tif 000008
【図８】
0006516614.tif 000009
【図９】
0006516614.tif 000010
【図１０】
0006516614.tif 000011
【図１１】
0006516614.tif 000012
【図１２】
0006516614.tif 000013
【図１３】
0006516614.tif 000014